(57)【要約】【課題】安価で取り付け時の高さ調整を行う必要のない原稿送り装置を提供すること。【解決手段】原稿送り装置を開閉可能に支持し、画像読み取り部に対して略垂直方向に移動可能なヒンジ部と、原稿送り装置の画像読み取り部に対向する面に設けられ、画像読み取り部に接地する接地部を３箇所有し、原稿載置部上に積載された原稿を送り出し手段により送り出し、分離手段により１枚の原稿を分離して給送して、画像読み取り部でプラテンローラにより原稿を読み取りガラス上に押し付けながら、原稿を搬送することにより画像を読み取り、画像読み取り後の原稿を排紙部により排出する原稿送り装置において、前記プラテンローラの両端を独立して揺動可能として、前記接地部は３箇所の接地部を結んだ三角形内に原稿送り装置の重心が位置するように配置される。【選択図】図１
2005110173.tif 000002
【特許請求の範囲】
【請求項１】
原稿送り装置を開閉可能に支持し、画像読み取り部に対して略垂直方向に移動可能なヒンジ部と、原稿送り装置の画像読み取り部に対向する面に設けられ、画像読み取り部に接地する接地部を３箇所有し、原稿載置部上に積載された原稿を送り出し手段により送り出し、分離手段により１枚の原稿を分離して給送して、画像読み取り部でプラテンローラにより原稿を読み取りガラス上に押し付けながら、原稿を搬送することにより画像を読み取り、画像読み取り後の原稿を排紙部により排出する原稿送り装置において、
前記プラテンローラの両端を独立して揺動可能として、前記接地部は３箇所の接地部を結んだ三角形内に原稿送り装置の重心が位置するように配置されることを特徴とする原稿送り装置。
【請求項２】
前記接地部３箇所の内の２箇所が前記プラテンローラの両端部近傍に配置されることを特徴とする請求項１記載の原稿送り装置。
【発明の詳細な説明】
【技術分野】
【０００１】
本発明は、光学系を固定させて、原稿の移動により露光を行わせる原稿送り装置に関するものである。
【背景技術】
【０００２】
従来、光学系を固定させた状態でシート状の原稿を副走査方向に移動させて読み取りを行う、所謂ＡＤＦタイプの原稿送り装置を設けた読み取り装置がある（例えば、特許文献１参照）。
【０００３】
この読み取り装置は、図４に示すように、原稿送り装置５１１と読み取り筐体部５１２とから成る。
【０００４】
読み取り筐体部５１２において、読み取り素子５１３は、原稿を照明するための原稿照明ランプ、読み取る画像をＣＣＤに結像させるための短焦点レンズ及び読み取り素子であるＣＣＤから構成され、ブック原稿読み取り時には、左右方向に移動して原稿を走査するとともに、原稿送り装置でシート原稿を読み取る際には、図示の位置にて停止している。
【０００５】
原稿送り装置５１１においては、原稿を載置する原稿トレイ５０２があり、原稿に対向する位置にピックアップローラ５０３、その下流にパッド５０４と分離ローラ５０５から成る分離部がある。尚、ピックアップローラ５０３は、分離ローラ５０５の回転中心に揺動可能となり、原稿と接するようになっている。分離ローラ５０５の下流には、レジローラ対５０６，５０７がある。更に下流には、プラテンローラ５０８が読み取り筐体部５１２のガラス台５０１上に原稿を押し付けながら搬送できるようになっている。プラテンローラ５０８の下流には、原稿を搬送する搬送ローラ対５０９、原稿を排出する排紙ローラ対５１０がある。
【０００６】
それぞれのローラは、ギア列やタイミングベルトにより駆動伝達される。ここで、ピックアップローラ５０３、分離ローラ５０５は駆動モータの正転時に搬送方向に駆動が伝わるように駆動モータからワンウェイクラッチを介して駆動伝達されるようになっている。又、レジローラ５０７、プラテンローラ５０８、搬送ローラ対５０９、排紙ローラ対５１０には、駆動モータの逆転時に搬送方向に駆動が伝わるように駆動モータからワンウェイクラッチを介して駆動伝達されるようになっている。
【０００７】
原稿送り装置５１１を用いての動作は、以下の通りである。
【０００８】
原稿トレイ５０２上に原稿面を下にして原稿をセットし、不図示のスタートボタンを押すと、駆動モータが正転して、ピックアップローラ５０３が原稿搬送方向に回転し、分離部５０４，５０５へと原稿を搬送する。分離部５０４，５０５では原稿を１枚に分離して、駆動していないレジローラ対５０６，５０７に突き当て、所定のループ量を得て搬送を一旦停止する。
【０００９】
ここで、駆動モータが逆転してレジローラ５０７が回転し、原稿はプラテンローラ５０８に搬送され、ガラス台５０１に密着された状態で原稿照明ランプ５１３により露光され、読み取りが行われる。プラテンローラ５０８を原稿が抜けると、読み取り終了となり、原稿は、搬送ローラ対５０９、排紙ローラ対５１０により排紙トレイ上に排出される。すると、駆動モータが再び正転して次の原稿を給紙し、先程と同様に読み取りが行われ、原稿が無くなるまで続けられる。
【００１０】
一方、ブック原稿読み取り時には、図５に示すように、原稿をガラス台５０１上にセットできるよう原稿送り装置５１１を開閉できるヒンジ部５１５を有し、ヒンジ足部５１５ａが読み取り筐体部５１２に設けられた嵌合穴部５１４に差し込まれることで読み取り筐体部５１２に対する原稿送り装置５１１の前後左右方向の位置が決まるように構成されている。
【００１１】
又、原稿送り装置を閉じた際に、画像読み取り部に接地する接地部５１６を複数箇所有しているが、複数の接地部が画像読み取り部に対して接地していないと、原稿の斜行による画質劣化或はジャム等を誘発するために、複数の接地部が画像読み取り部に対して接地する必要がある。このため、ヒンジ部５１５にはヒンジ足部５１５ａの高さ方向の長さを伸縮させることで読み取り筐体部５１２に対する原稿送り装置５１１の高さ方向の位置を調整可能な調整機構５１５ｂが設けられている。
【００１２】
【特許文献１】特開２０００−２７８４９７号公報（第２図）
【発明の開示】
【発明が解決しようとする課題】
【００１３】
しかしながら、前述の従来例のように、複数の接地部が画像読み取り部に対して接地できるように、ヒンジ部に高さ方向の調整機構を設けているとヒンジ部の構成が複雑化して装置が大きくなってしまいコストアップとなる。
【００１４】
又、原稿送り装置取り付け時の高さ調整は原稿送り装置５１１内のヒンジ部５１５、接地部５１６等の各部品や読み取り筐体部５１２内のガラス台５０１、嵌合穴部５１４等の各部品の複数部品が介在するので、精度が出にくくなっており、原稿送り装置５１１を用いた原稿流し読み時には、プラテンローラ位置不良による斜行や画像かぶり等の画像不良が発生しないように、原稿をガラス台５０１上にセットして行うブック原稿読み取り時は、不図示の圧板部の浮きによる外光や画像かぶりによる影が発生しないように調整するため、原稿送り装置取り付け時の高さ調整が面倒になるという問題があった。
【００１５】
本発明は上記問題に鑑みてなされたもので、その目的とする処は、安価で取り付け時の高さ調整を行う必要のない原稿送り装置を提供することにある。
【課題を解決するための手段】
【００１６】
上記目的を達成するため、請求項１記載の本発明は、原稿送り装置を開閉可能に支持し、画像読み取り部に対して略垂直方向に移動可能なヒンジ部と、原稿送り装置の画像読み取り部に対向する面に設けられ、画像読み取り部に接地する接地部を３箇所有し、原稿載置部上に積載された原稿を送り出し手段により送り出し、分離手段により１枚の原稿を分離して給送して、画像読み取り部でプラテンローラにより原稿を読み取りガラス上に押し付けながら、原稿を搬送することにより画像を読み取り、画像読み取り後の原稿を排紙部により排出する原稿送り装置において、前記プラテンローラの両端を独立して揺動可能として、前記接地部は３箇所の接地部を結んだ三角形内に原稿送り装置の重心が位置するように配置されることを特徴とする。
【００１７】
請求項２記載の発明は、請求項１の記載発明において、前記接地部３箇所の内の２箇所が前記プラテンローラの両端部近傍に配置されることを特徴とする。
【発明の効果】
【００１８】
請求項１記載の発明によれば、ヒンジ部が画像読み取り部に対して略垂直方向に移動可能であり、画像読み取り部に接地する３箇所の接地部を結んだ３角形内に原稿送り装置の重心が位置するように設けられていることで、原稿送り装置が閉じた状態では、自重により各接地部が読み取り筐体部に確実に接地することになり、原稿送り装置は読み取り筐体部に対して常に一定の位置で取り付けることができる。このため、圧板部が浮くことがなく、ブック原稿読み取り時は、圧板部の浮きによる外光や画像かぶりによる影が発生することがない。
【００１９】
又、プラテンローラは前後が独立して、読み取りガラスに接地するように構成されているため、原稿送り装置の接地状態が各機械間の寸法誤差により若干異なっても読み取り部ではガラスに一定の状態で接地できるため、プラテンローラがガラスから所定以上浮くことで発生する画像かぶりが発生することなく確実に読み取りを行うことができる。このため、原稿送り装置取り付け時の高さ調整を行う必要がない。
【００２０】
請求項２記載の発明によれば、ヒンジ部が画像読み取り部に対して略垂直方向に移動可能であり、画像読み取り部に接地する３箇所の接地部を結んだ３角形内に原稿送り装置の重心が位置するように設けられていることで、原稿送り装置が閉じた状態では、自重により各接地部が読み取り筐体部に確実に接地することになり、原稿送り装置は読み取り筐体部に対して常に一定の位置で取り付けることができる。このため、圧板部が浮くことがなく、ブック原稿読み取り時は、圧板部の浮きによる外光や画像かぶりによる影が発生することがない。
【００２１】
又、プラテンローラは前後が独立して、読み取りガラスに接地するように構成されているため、原稿送り装置の接地状態が各機械間の寸法誤差により若干異なっても読み取り部ではガラスに一定の状態で接地できるため、プラテンローラがガラスから所定以上浮くことで発生する画像かぶりが発生することなく確実に読み取りを行うことができる。このため、原稿送り装置取り付け時の高さ調整を行う必要がない。
【００２２】
更に、３箇所の接地部の内の２箇所が前記プラテンローラの両端部近傍に配置されることで、原稿送り装置の接地状態が各機械間の寸法誤差により若干異なっても、原稿送り装置内での接地部とプラテンローラとの関係は寸法誤差が小さい状態になり、プラテンローラと他のローラ（従来例に記載のレジローラ５０７、搬送ローラ５０９、排紙ローラ５１０）とのアライメントも正確に保たれ、斜行等の搬送不良が発生することなく安定した原稿搬送状態及び読み取り状態を保つことが可能となる。
【発明を実施するための最良の形態】
【００２３】
以下に本発明の実施の形態を図１〜図３に基づいて説明する。尚、従来例と相違ない構成については、説明を省略する。
【００２４】
図１に示すように、ヒンジ２は左側後方、ヒンジ３は右側後方に設けられ、図２ａに示すように、左右ヒンジ足部２ａ，３ａ（２ａは３ａと同構成であるため不図示）が読み取り筐体部１００に設けられた嵌合穴部１０１にそれぞれ差し込まれることで読み取り筐体部１００に対する原稿送り装置１の前後左右方向の位置が決まるように構成されている。又、左右ヒンジ足部２ａ，３ａは、読み取り筐体部１００に設けられた嵌合穴部１０１に対して上下方向に移動可能で、ブックモード時に厚みのある原稿を読み取りガラス１０２に置いて原稿送り装置１を閉じると上方向にイコライズ可能な構成となっている。
【００２５】
図１に示すように、読み取り筐体部１００への接地部であるゴム足４，５，６は、プラテンローラ７の手前側、奥側の２箇所と、原稿送り装置１の左手前側に設けられており、各接地部の３点を結んだ３角形内に原稿送り装置１の重心Ｇが来るように設けられている。
【００２６】
ここで、図２ｂに示すように、原稿送り装置１を開いた状態では左右ヒンジ２，３の受け面２ｂ，３ｂ（２ｂは３ｂと同構成であるため不図示）が読み取り筐体部１００へ接地して原稿送り装置１を支えるが、図２ａに示すように、原稿送り装置１を閉じた状態では、ゴム足４，５，６の各接地部が読み取り筐体部１００に接地するので左右ヒンジ足２ａ，３ａは上方向にイコライズして左右ヒンジ２，３の受け面２ｂ，３ｂが読み取り筐体部１００から離れる。
【００２７】
図３に示すように、プラテンローラ７は前後を揺動アーム８，９に取り付けられており、前後の揺動アーム８，９の軸受け部８ａ，９ａがプラテンローラ７の軸に対して回転可能なため、前後の揺動アーム８，９に設けられた回動中心穴８ｂ，９ｂを中心にプラテンローラ７の前後が独立して揺動し、前後の揺動アーム８，９に各々掛けられた付勢バネ１０，１１により読み取りガラス１０２に確実に接地するように構成されている。
【００２８】
このようにゴム足４，５，６の各接地部の３点を結んだ３角形内に原稿送り装置１の重心Ｇが位置するように設けられていることで、原稿送り装置１が閉じた状態では、自重によりゴム足４，５，６の各接地部が読み取り筐体部１００に確実に接地することになり、原稿送り装置１は、読み取り筐体部１００に対して常に一定の位置で取り付けることができる。このため、不図示の圧板部が浮くことがなく、ブックモード時は、圧板部の浮きによる外光や画像かぶりによる影が発生することがない。
【００２９】
又、プラテンローラ７は前後が独立して、読み取りガラス４に接地するように構成されているため、原稿送り装置１の接地状態が各機械間の寸法誤差により若干異なっても読み取り部ではガラスに一定の状態で接地できるため、プラテンローラ７がガラスから所定以上浮くことで発生する画像かぶりが発生することなく確実に読み取りを行うことができる。
【００３０】
更に、ゴム足４，５はプラテンローラ７の手前側、奥側に設けられているため、原稿送り装置１の接地状態が各機械間の寸法誤差により若干異なっても、原稿送り装置１内での接地部とプラテンローラ７との関係は寸法誤差が少ない状態になり、プラテンローラ７と他のローラ（従来例に記載のレジローラ５０７、搬送ローラ５０９、排紙ローラ５１０）とのアライメントも正確に保たれ、斜行等の搬送不良が発生することなく安定した原稿搬送状態及び読み取り状態を保つことが可能となる。
【００３１】
以上の実施の形態において、原稿送り装置１の読み取り筐体部１００への接地部であるゴム足４，５，６は、ゴム等の弾性体だと原稿送り装置１を閉めた際の音が静かであり、読み取り筐体部１００に対して傷付けることもないが、弾性体に限ることはなく、原稿送り装置１の外装カバーや、原稿搬送部の用紙ガイド部に設けた突起部でも良く、材質や部材を限定するものではない。
【００３２】
又、ゴム足４，５，６はプラテンローラ７の手前側、奥側の２箇所と、原稿送り装置１の左手前側と、原稿送り装置１の左右手前側２箇所、右奥側１箇所に設けられているが、奥側２箇所、手前側１箇所等、各接地部の３点を結んだ３角形内に原稿送り装置１の重心Ｇが位置するように設けられていれば良く、前後左右の位置を限定するものではない。
【産業上の利用可能性】
【００３３】
本発明は、光学系を固定させて、原稿の移動により露光を行わせる原稿送り装置に全般に対して適用可能である。
【図面の簡単な説明】
【００３４】
【図１】本発明に係る原稿送り装置のヒンジ及び接地部を表す上面透視図である。
【図２ａ】本発明に係る原稿送り装置を閉じた状態を示す側面図である。
【図２ｂ】本発明に係る原稿送り装置を開いた状態を示す側面図である。
【図３】本発明に係る原稿送り装置のプラテンローラの斜視図である。
【図４】従来例の原稿送り装置を設けた読み取り装置の正面断面図である。
【図５】従来の原稿送り装置を閉じた状態を示す側面図である。
【符号の説明】
【００３５】
１      原稿送り装置
２，３    ヒンジ
４，５，６  ゴム足
７        プラテンローラ
８，９    揺動アーム
１０，１１  付勢バネ
１００    読み取り筐体部
１０１    嵌合穴部
１０２    読み取りガラス
【図１】
2005110173.tif 000003
【図２ａ】
2005110173.tif 000004
【図２ｂ】
2005110173.tif 000005
【図３】
2005110173.tif 000006
【図４】
2005110173.tif 000007
【図５】
2005110173.tif 000008